(57)【要約】【課題】短時間で高い殺菌効果を発現し、かつ、油脂汚れに対しても優れた洗浄効果を有する洗浄剤組成物、より具体的には身体用液体殺菌洗浄剤組成物を提供すること。【解決手段】次式：ＲＯ（ＣＨ2ＣＨ2Ｏ）nＳＯ3・ＮＨ4（式中、Ｒは炭素数８〜１８のアルキル基であり、ｎは平均付加モル数を示し、ｎ＝０〜１．２である。）で示されるアニオン性界面活性剤を３〜１０重量％；トリクロサン(b1)、イソプロピルメチルフェノール(b2)及びパラクロロメタキシレノール(b3)からなる群より選択される少なくとも１種の成分を０．１〜１．０重量％；並びにグリセリルエーテルを０．５〜５．０重量％含有する洗浄剤組成物。【選択図】なし【特許請求の範囲】
【請求項１】
（ａ）成分：次式：
ＲＯ（ＣＨ2ＣＨ2Ｏ）nＳＯ3・ＮＨ4
（式中、Ｒは炭素数８〜１８のアルキル基であり、ｎは平均付加モル数を示し、ｎ＝０〜１．２である。）で示されるアニオン性界面活性剤を３〜１０重量％、
（ｂ）成分：
トリクロサン(b1)、イソプロピルメチルフェノール(b2)及びパラクロロメタキシレノール(b3)からなる群より選択される少なくとも１種の成分を０．１〜１．０重量％、並びに
（ｃ）成分：グリセリルエーテルを０．５〜５．０重量％
含有する洗浄剤組成物。
【請求項２】
（ｂ）成分が、トリクロサン(b1)並びにイソプロピルメチルフェノール(b2)及び／又はパラクロロメタキシレノール(b3)からなる成分である、請求項１に記載の洗浄剤組成物。
【請求項３】
（ａ）成分と（ｃ）成分との比率が重量比で（ａ）／（ｃ）＝１．５〜４．０である、請求項１又は２に記載の洗浄剤組成物。
【請求項４】
ハンドソープ、ボディーシャンプー又はヘアーシャンプーに用いられる、請求項１〜３のいずれか１項に記載の洗浄剤組成物。
【発明の詳細な説明】
【技術分野】
【０００１】
本発明は、短時間の使用においても高い殺菌効果を有する洗浄剤組成物に関する。より具体的には、特に食材を扱う従事者等を対象とする、油脂汚れに対して優れた洗浄効果を有する身体用の液体殺菌洗浄剤組成物に関する。
【背景技術】
【０００２】
身体用洗浄剤組成物には、洗浄効果に加えて、病原菌の感染を防止、菌の伝播を防止する等の衛生的見地より殺菌効果も求められており、この要求に応えるべく殺菌効果を有する身体用洗浄剤組成物について多くの検討がなされている。
【０００３】
例えば、身体用液体殺菌洗浄剤組成物としては、高い殺菌力と低温安定性を得る目的で、ポリオキシエチレンアルキルエーテル硫酸塩等のアニオン性界面活性剤を主基剤として、さらに殺菌剤を配合したものが知られている（例えば、特許文献１）。
【先行技術文献】
【特許文献】
【０００４】
【特許文献１】特開２００８−１３８０２７号公報
【発明の概要】
【発明が解決しようとする課題】
【０００５】
このような身体用液体殺菌洗浄剤組成物は、さらに、短時間の使用であっても高い殺菌効果を有することが求められており、加えて食材を扱う従事者を対象とした場面では、さらに油脂汚れに対しても優れた洗浄効果が求められている。
【０００６】
油脂汚れに対する洗浄効果を高めようとする場合、洗浄剤組成物中の界面活性剤の含有量を多くすることが考えられる。しかしながら、洗浄剤組成物中の界面活性剤を増量すると、どういうわけか殺菌効果が低下することがあった。そのために、高い殺菌効果と油脂汚れに対する優れた洗浄効果との両者を兼ね備えた身体用液体殺菌洗浄剤組成物が切望されている。
【０００７】
従って、本発明の課題は、短時間で高い殺菌効果を発現し、かつ、油脂汚れに対しても優れた洗浄効果を有する洗浄剤組成物、より具体的には身体用液体殺菌洗浄剤組成物を提供することにある。
【課題を解決するための手段】
【０００８】
即ち、本発明の要旨は、
（ａ）成分：次式：ＲＯ（ＣＨ2ＣＨ2Ｏ）nＳＯ3・ＮＨ4
（式中、Ｒは炭素数８〜１８のアルキル基であり、ｎは平均付加モル数を示し、ｎ＝０〜１．２である。）で示されるアニオン性界面活性剤を３〜１０重量％、
（ｂ）成分：
トリクロサン(b1)、イソプロピルメチルフェノール(b2)及びパラクロロメタキシレノール(b3)からなる群より選択される少なくとも１種の成分を０．１〜１．０重量％、並びに
（ｃ）成分：グリセリルエーテルを０．５〜５．０重量％含有する洗浄剤組成物、に関するものである。
【発明の効果】
【０００９】
本発明の洗浄剤組成物は、油脂汚れに対する洗浄効果に優れ、かつ短時間の使用であっても高い殺菌効果（特に大腸菌に対する高い殺菌効果）を発揮するという優れた効果を奏するものである。
【発明を実施するための形態】
【００１０】
＜（ａ）成分＞
本発明の洗浄剤組成物における（ａ）成分は、次式：
ＲＯ（ＣＨ2ＣＨ2Ｏ）ｎＳＯ3・ＮＨ4
（式中、Ｒは炭素数８〜１８のアルキル基であり、ｎは平均付加モル数を示し、ｎ＝０〜１．２である。）で示されるアニオン性界面活性剤である。殺菌効果と油脂汚れに対する洗浄効果の両者を発揮させる観点から、（ａ）成分はアンモニウム塩である。アンモニウム塩以外の塩を用いると、たとえ所定量の（ｃ）成分を含有する組成物であっても組成物の殺菌効果が極めて小さくなってしまい、所望の効果が得られない。アルキル基の炭素数としては、１０〜１６が好ましい。さらに当該ｎの値については、殺菌効果と油脂汚れに対する洗浄効果の両者を発揮させる観点から、０〜１．２であり、０〜１．０が好ましい。当該ｎの値が１．２を超える場合、たとえ（ａ）成分がアンモニウム塩であっても、特に大腸菌に対する組成物の殺菌効果が極めて小さくなってしまい、所望の効果が得られない。
【００１１】
具体的には、（ａ）成分としては、ラウリル硫酸アンモニウム、ミリスチル硫酸アンモニウム等のアルキル硫酸アンモニウム塩；ポリオキシエチレン（１モル）ラウリルエーテル硫酸アンモニウム塩、ポリオキシエチレン（１モル）ミリスチルエーテル硫酸アンモニウム塩等のポリオキシエチレンアルキルエーテル硫酸アンモニウム塩等が挙げられる。なお、本明細書において、これらの化合物のかっこ内の数値はエチレンオキシドの平均付加モル数を意味する。（ａ）成分として、これらの化合物の一種類を単独で用いてもよく、又は複数の種類を組み合わせて用いてもよい。なお、（ａ）成分の商品としては、エマール１２５Ａ〔花王（株）製〕、エマールＡＤ−２５Ｒ〔花王（株）製〕等が挙げられる。
【００１２】
（ａ）成分の洗浄剤組成物中の含有量は３〜１０重量％である。（ａ）成分の好ましい含有量は５．０〜９．０重量％であり、より好ましい含有量は５．５〜７．０重量％である。起泡性、洗浄性を十分に発揮させる観点から、当該含有量は３重量％以上が好ましく、（ｂ）成分による殺菌効果を十分に発揮させる観点から、当該含有量は１０重量％以下が好ましい。
【００１３】
＜（ｂ）成分＞
本発明の洗浄剤組成物における（ｂ）成分は殺菌剤であり、トリクロサン(b1)、イソプロピルメチルフェノール(b2)及びパラクロロメタキシレノール(b3)からなる群より選択される少なくとも１種の成分である。これらの中では、高い殺菌効果を発現する観点から、トリクロサン(b1)及びイソプロピルメチルフェノール(b2)が好ましく、トリクロサン(b1)がより好ましい。
また、本発明の洗浄剤組成物における（ｂ）成分は、より高い殺菌効果を発現する観点から、トリクロサン(b1)を必須成分とし、さらに（ｂ）成分には、トリクロサン(b1)に加えて、イソプロピルメチルフェノール(b2)及び／又はパラクロロメタキシレノール(b3)が組み合わさって用いられることが好ましい。
【００１４】
洗浄剤組成物中の（ｂ）成分の含有量（〔(b1)+(b2)＋(b3)〕）は０．１〜１．０重量％であり、好ましい含有量は０．２〜０．６重量％である。殺菌効果を十分に発揮させる観点から、当該含有量は０．２重量％以上が好ましく、組成物の安定性を確保する観点から、当該含有量は１．０重量％以下が好ましい。
【００１５】
＜（ｃ）成分＞
本発明の洗浄剤組成物における（ｃ）成分はグリセリルエーテルである。洗浄剤組成物に（ｃ）成分を配合することによって、洗浄剤組成物の油脂汚れに対する洗浄効果を低下させることなく、大腸菌等の細菌に対する殺菌効果をより一層発揮させるという効果が奏される。
【００１６】
（ｃ）成分のグリセリルエーテルとしては、炭素数８〜１２の直鎖または分岐のアルキル基を有するモノアルキル体が好ましい。当該アルキル基としては、例えばｎ−オクチル基、２−エチルヘキシル基、ｎ−ノニル基、ｎ−デシル基、イソデシル基、ｎ−ウンデシル基、ｎ−ドデシル基が挙げられる。より好ましいアルキル基としては、炭素数８〜１２の分岐したアルキル基、さらに好ましくは炭素数８〜１０の分岐したアルキル基であり、具体的には２−エチルヘキシル基、イソデシル基が挙げられる。グリセリルエーテルの具体例としては、２−エチルヘキシルグリセリルエーテル、イソデシルグリセリルエーテル等が挙げられ、２−エチルヘキシルグリセリルエーテルが好ましい。（ｃ）成分のグリセリルエーテルは、１種を単独で用いてもよく、又は２種以上を組み合わせて用いてもよい。
【００１７】
洗浄剤組成物中の（ｃ）成分の含有量は０．５〜５．０重量％であり、好ましい含有量は１〜３重量％であり、より好ましくは１．５〜２．５重量％である。油脂汚れに対する洗浄効果を低下させることなく、大腸菌等の細菌に対する殺菌効果を発揮させる観点から、当該含有量は０．５重量％以上が好ましく、油脂汚れに対する洗浄効果を低下させることなく、大腸菌等の細菌に対する殺菌効果を発揮させる観点と製品安定性の観点から、当該含有量は５．０重量％以下が好ましい。
【００１８】
（ａ）成分と（ｃ）成分との比率としては、重量比で（ａ）／（ｃ）＝１．５〜４．０の範囲が好ましく、１．５〜３．０の範囲がより好ましい。油脂汚れに対する洗浄効果を低下させることなく、大腸菌等の細菌に対する殺菌効果を発揮させる観点から、当該重量比は１．５以上が好ましく、製品安定性の観点から、当該重量比は４．０以下が好ましい。
【００１９】
＜洗浄剤組成物＞
本発明の洗浄剤組成物は、水を媒体とする液状であることが望ましい。
【００２０】
さらに本発明の洗浄剤組成物は、通常の皮膚用洗浄剤組成物に用いられる成分、例えばエタノール等の低級アルコール類；グリセリン、プロピレングリコール、１，３−ブチレングリコール、ジプロピレングリコール、ソルビトール等の多価アルコール類；グアーガム等の植物由来の多糖類；キサンタンガム等の微生物由来の多糖類；ヒドロキシプロピルセルロース、カルボキシメチルセルロース等のセルロース類；染料、顔料等の着色剤；酢酸、クエン酸、リンゴ酸、乳酸、水酸化ナトリウム、水酸化カリウム等のｐＨ調整剤；塩化ナトリウム、硫酸ナトリウム等の無機塩類；植物エキス類；防腐剤；キレート剤；ビタミン剤；香料；抗炎症剤；酸化防止剤等を、本発明の効果を損なわない範囲で含有してもよい。
【００２１】
本発明の洗浄剤組成物は、通常使用されている容器に充填して使用することが可能であるが、フォーマー容器に充填することにより、起泡性が良く、泡の安定性も良好となるため、フォーマー容器に充填することがより好ましい。
【００２２】
本発明の洗浄剤組成物は常法に従って製造することができる。さらに本発明の洗浄剤組成物は、身体用の液体殺菌洗浄剤として、例えばハンドソープ等の手指用の洗浄剤、ボディーシャンプー及びヘアーシャンプーとして用いられるのが好ましく、ハンドソープ等の手指用の洗浄剤として用いられるのがより好ましい。
【実施例】
【００２３】
以下、実施例を挙げてさらに詳細に説明する。なお、以下の実施例等における各成分の含有量は有効分を基準として示した。表１及び表２に、本発明品及び比較品の組成を示す。表１及び表２において、使用した成分は下記に示す番号で示した。
【００２４】
（ａ）成分〔ただし、説明の都合上、（ａ）成分との比較のために用いられる（ａ）成分の範囲外の成分も、表中では（ａ）成分の項目に記載した。〕
１：ポリオキシエチレン（１モル）アルキル（Ｃ10〜Ｃ16）エーテル硫酸アンモニウム、エマール１２５Ａ〔花王（株）製〕
２：ラウリル硫酸アンモニウム、エマールＡＤ−２５Ｒ〔花王（株）製〕
３：ポリオキシエチレン（２モル）アルキル（Ｃ10〜Ｃ16）エーテル硫酸アンモニウム、エマール２７０Ｓ−Ａ〔花王（株）製〕
４：ポリオキシエチレン（１モル）アルキル（Ｃ10〜Ｃ16）エーテル硫酸ナトリウム、エマール１７０−Ｊ〔花王（株）製〕
５：ポリオキシエチレン（２モル）アルキル（Ｃ10〜Ｃ16）エーテル硫酸ナトリウム、エマール２２７〔花王（株）製〕
６：ポリオキシエチレン（３モル）ラウリルエーテル硫酸トリエタノールアミン、エマール２０Ｔ〔花王（株）製〕
７：アルキル（Ｃ10〜Ｃ12）ポリグルコシド、ＡＧ−１０ＬＫ〔花王（株）製〕
【００２５】
（ｂ）成分
８：トリクロサン、イルガサンＤＰ３００〔チバスペシャリティーケミカルズ（株）製〕
９：イソプロピルメチルフェノール、〔大阪化成（株）製〕
１０：パラクロロメタキシレノール、〔クラリアント（株）製〕
【００２６】
（ｃ）成分
１１：２−エチルヘキシルグリセリルエーテル、ペネトールＧＥ−ＥＨ〔花王（株）製〕
【００２７】
（殺菌効果の試験方法と評価基準）
供試菌として、大腸菌（Escherichia coli NBRC3972）と黄色ブドウ球菌（Staphylococcus aureus NBRC13276）を用いた。予め、ＳＣＤ培地〔日本製薬（株）製〕にて前培養した培養液を準備した。培養液０．１ｍＬ（１０9〜１０10ｃｅｌｌ／ｍＬ）を、滅菌水で所定の濃度（組成物希釈倍率×１、×３、×１０、×４０）に希釈された４ｍＬの各洗浄剤組成物の希釈溶液に接種した。一定時間（１５秒、３０秒、４５秒、６０秒）毎に、各希釈溶液から一白金耳をとり、１ｍＬの生育用液体培地（ＳＣＤＬＰ培地〔日本製薬（株）製〕）に接種した。生育用液体培地を３７℃で２４時間培養した後、菌の生育の有無を観察した。
【００２８】
菌の生育の有無の判定は目視で行った。即ち、培養後の培地に濁りが見られた場合、菌が生育したと判定した。一種類の洗浄剤組成物につき、４つの希釈濃度と４つの接触時間で殺菌効果の試験を行っているので、合計１６の生育用培地が用いられた。殺菌効果の判定は、菌の生育が認められなかった生育用培地の個数に応じて次のように行った。全希釈濃度、全反応時間に菌の生育が認められなかった場合（即ち、１６の生育用培地の全てについて菌の生育が認められなかった場合）を最高点（満点）の１６とし、全希釈濃度、全反応時間に菌の生育が認められた場合（即ち、１６の生育用培地の全てについて菌の生育が認められた場合）を最低点の０とした。即ち、０〜１６の間で値が高いほど、当該洗浄剤組成物の殺菌効果が高いことを意味する。
【００２９】
（洗浄効果の試験方法と評価基準）
下記の試料１及び試料２を油脂汚れのモデルとした。
試料１の油脂試料を０．５ｍＬ取り、掌に均一に塗布した。各洗浄剤組成物の１ｍＬで手を洗い（洗浄、すすぎ各１５秒、水温約３０℃、水道水、水量一定）油脂試料の残留感触により以下のように評価した。続いて試料２も同様な方法で評価した。
試料１：スクアラン（深海鮫肝臓抽出油）、試薬、〔東京化成工業（株）製〕
試料２：綿実油、試薬、〔関東化学（株）製〕
【００３０】
洗浄効果の評価は５名のパネラーが行った。パネラーには、全ての洗浄剤組成物について、手洗い操作を同様に行うように指示し、各洗浄剤組成物のどれが本発明品でどれが比較品に該当するかを知らせなかった。油脂汚れが完全に落ちた場合を５とし、全く落ちなかったものを１として、１〜５の間の整数で洗浄効果を官能評価した。値が高いほど当該洗浄剤組成物の油脂汚れに対する洗浄効果が高いことを意味する。数値は試料１と試料２の平均値で判定し、小数第一位を四捨五入して整数で示した。
【００３１】
実施例１及び比較例１
表１及び表２に示す組成の洗浄剤組成物を常法に従い調製し、殺菌効果の試験と洗浄効果の試験を行った。結果を表１及び表２に示す。表中の配合成分の量を重量％で示した。また、本発明品と比較品の各組成物の２５℃のｐＨは、いずれも６であった。
【００３２】
【表１】
2010168555.tif 000002
【００３３】
【表２】
2010168555.tif 000003
【００３４】
本発明品は、大腸菌及び黄色ブドウ球菌に対して高い殺菌効果を有し、かつ油脂汚れに対する洗浄効果も高いことが分かった。一方、比較品は殺菌効果が劣るかあるいは、黄色ブドウ球菌に効果があっても大腸菌に対して効果を示すものはなかった。
【００３５】
このように、本発明品は短時間（１分以内）の接触で、大腸菌及び黄色ブドウ球菌を効果的に殺滅していることが分かった。
【００３６】
界面活性剤の含有量が比較的多い洗浄剤組成物の場合、洗浄剤組成物に配合された殺菌剤の効果が阻害される傾向にあることが、本発明品及び比較品との比較で明らかになった。本発明者らは、これは界面活性剤の含有量が増加することによりミセルが形成され、殺菌剤がミセル中に取り込まれることが理由であると推定した。しかしながら本発明品のように、（ｃ）成分を洗浄剤組成物に配合することにより、配合された殺菌剤の効果が十分に発揮されることが分かった。
【００３７】
さらに、本発明品３及び６と比較品３とを対比すると、（ａ）成分がアンモニウム塩であってもそのエチレンオキシドの平均付加モル数が１．２を超える組成物では、所定量の（ｃ）成分を含有していても、殺菌効果が大きく低下することが分かった。
【００３８】
本発明品３と比較品５とを対比すると、（ａ）成分のエチレンオキシドの平均付加モル数が０〜１．２の範囲であってもアンモニウム塩以外の塩である組成物では、所定量の（ｃ）成分を含有していても、殺菌効果が大きく低下することが分かった。
【００３９】
本発明品３と比較品１とを対比すると、（ａ）成分が本発明の範囲内の成分であっても（ｃ）成分の量が本発明の範囲外である組成物では、大腸菌に対する殺菌効果が大きく低下することが分かった。
【００４０】
比較品２と３、比較品４と５、比較品６と７及び比較品８と９をそれぞれ対比すると、（ａ）成分が本発明の範囲外の成分であれば、所定量の（ｃ）成分の有無に関わらず、（ｂ）成分による殺菌効果が十分に発揮されないことが分かった。
【００４１】
さらに、本発明品１１〜１３からは、（ｂ）成分としてトリクロサン(b1)、イソプロピルメチルフェノール(b2)又はパラクロロメタキシレノール(b3)を単独で用いた場合であっても、優れた殺菌効果と洗浄効果が発揮されることが分かった。一方、比較品１１及び１２からは、（ｂ）成分としてトリクロサン(b1)を用いた場合であっても、（ｃ）成分が存在しない組成物の殺菌効果は不十分であることが分かった。
【００４２】
このように、本発明の構成を完全に満たすことによって初めて、洗浄効果を低下させることなく殺菌効果に優れた洗浄剤組成物が提供できることが分かった。
【００４３】
実施例２（ハンドソープ）
以下に示す組成のハンドソープを常法により製造した。得られたハンドソープはｐＨ６．５（２５℃）であり、洗浄性に優れかつ殺菌効果の高いものであった。
【００４４】
・ポリオキシエチレン（１モル）アルキルエーテル硫酸アンモニウム：５．０（重量％）
・２−エチルヘキシルグリセリルエーテル：２．５（重量％）
・エタノール：２．０（重量％）
・トリクロサン：０．３（重量％）
・イソプロピルメチルフェノール：０．２（重量％）
・エチレンジアミン四酢酸ナトリウム：０．１（重量％）
・メチルパラベン：０．２（重量％）
・色素：０．００１（重量％）
・香料：０．０１（重量％）
・リンゴ酸：適量
・精製水：バランス
・合計：１００（重量％）
【産業上の利用可能性】
【００４５】
本発明の洗浄剤組成物は、短い使用時間で高い殺菌効果が奏され、かつ油脂汚れに対する優れた洗浄効果を有するため、身体用の液体殺菌洗浄剤組成物として好適に使用し得る。